(57)【特許請求の範囲】
【請求項１】
金属枠の室内側に樹脂枠を取付けてなる横枠及び縦枠を四周組して形成される窓枠と、窓枠に支持される障子とを備え、
横枠を構成する樹脂横枠は、室内側に壁部を有する主樹脂横枠と、主樹脂横枠の壁部の室外側に配置される副樹脂横枠とからなり、
主樹脂横枠の壁部の室外側において、縦枠を構成する樹脂縦枠の端部が主樹脂横枠の内周面に当接されると共に、副樹脂横枠の両側端部が左右の樹脂縦枠の内周面に当接される
ことを特徴とする断熱サッシ。
【発明の詳細な説明】
【技術分野】
【０００１】
金属枠及び金属枠の室内側に配置される樹脂枠とからなる枠体と、障子を備える断熱サッシに関する。
【背景技術】
【０００２】
近年、金属枠の室内側に樹脂枠を取付けた断熱サッシが知られているが、このようなサッシにおいて、障子と窓枠との間を気密する気密材を樹脂枠に設けて断熱性を向上させた断熱サッシが知られている。（特許文献１）
【先行技術文献】
【特許文献】
【０００３】
【特許文献１】特開２００２−１９４９３８号公報
【発明の概要】
【発明が解決しようとする課題】
【０００４】
上記先行技術文献のような断熱サッシにおいては、金属枠の室内側に配置される樹脂枠は、樹脂上枠の内周面に対して樹脂縦枠の端面を突き当てて四周組して枠組みをしていた。
しかしながら、樹脂枠の突き合わせ部は、経時変化により隙間が生じて断熱性が低下する可能性もあり、また、突き合わせ部が室内に露出することは意匠的にも好ましくない。
【０００５】
本発明は、上記の事情を鑑み、金属枠と樹脂枠とからなる断熱サッシにおいて、樹脂枠の突き合わせ部における断熱性を確保して、断熱性能のさらなる向上をはかることを目的とする。
【課題を解決するための手段】
【０００６】
本発明は、金属枠の室内側に樹脂枠を取付けてなる横枠及び縦枠を四周組して形成される窓枠と、窓枠に支持される障子とを備え、横枠を構成する樹脂横枠は、室内側に壁部を有する主樹脂横枠と、主樹脂横枠の壁部の室外側に配置される副樹脂横枠とからなり、主樹脂横枠の壁部の室外側において、縦枠を構成する樹脂縦枠の端部が主樹脂横枠の内周面に当接されると共に、副樹脂横枠の両側端部が左右の樹脂縦枠の内周面に当接されることを特徴とする。
【発明の効果】
【０００７】
断熱サッシにおける樹脂枠の突き合わせ部の断熱性を確保して、断熱サッシ全体の断熱性能をさらに向上させることができる。
【図面の簡単な説明】
【０００８】
【図１】本発明の実施形態に係る樹脂サッシである縦すべり出し窓の縦断面図である。
【図２】本発明の実施形態に係る樹脂サッシである縦すべり出し窓の横断面図である。
【図３】本発明の実施形態に係る樹脂サッシである縦すべり出し窓の上枠の拡大縦断面図である。
【図４】本発明の実施形態に係る樹脂サッシである縦すべり出し窓の樹脂上枠と右樹脂縦枠との接合部を示す縦断面図である。
【図５】本発明の実施形態に係る樹脂サッシの樹脂枠の上枠と縦枠の納まり部分を示す斜視図である。
【発明を実施するための形態】
【０００９】
−縦すべり出し窓の構成−
本発明の実施形態の断熱サッシについて、図１、２に示す縦すべり出し窓を用いて説明する。
（全体の構成）
図１、２に示すように、縦すべり出し窓は、建物開口部に設置される、横枠である上枠１１、下枠１２及び左、右縦枠１３，１４により構成される窓枠１と、上框２１、下框２２、及び左、右縦框２３，２４を四周に組んでその内周にガラス等のパネルが嵌め込まれて構成される障子２とからなる。
障子２は、上枠１１及び下枠１２に対してリンク機構６１を介して取り付けられており、ハンドル６２の操作によって開閉自在に支持されている。枠体の左縦枠１３と左縦框２３との間には、反り防止手段６３が配置されているとともに、右縦枠１４と右縦框２４との間には、障子２の閉鎖状態をロックするロック手段６４が配置されている。
【００１０】
（窓枠の構成）
窓枠１を構成する上枠１１、下枠１２及び左、右縦枠１３，１４は、アルミ等の金属材料からなる金属枠と、金属枠の室内側に取り付けられる樹脂枠とから構成されている。
以下、各枠について、詳細に説明する。
【００１１】
上枠１１を構成する金属上枠１１１は、図１に示すように、障子２の上框２１の外周面と対向する断面中空の上枠本体部１１１ａと、上枠本体部１１１ａの室内側に延設される室内側部１１１ｂとから形成されており、室内側部１１１ｂの内周面から中間片１１１ｃが垂下され、中間片１１１ｃよりも室内側の内周面は樹脂上枠を係合するための被係合部１１１ｄとして構成されている。
また、金属上枠１１１の上枠本体部１１１ａの内周面には、障子２を開閉するためのリンク機構６１の一端が取り付けられており、上枠本体部１１１ａの室外側面には、障子２の金属上框２１１の室外壁部２１１ｂの室内側面に当接する気密材ｓ１が設けられて、上枠１１における室外側の気密ラインを形成している。
【００１２】
上枠１１を構成する樹脂上枠は、金属上枠１１１の被係合部１１１ｄに係合して取付けられる主樹脂上枠１１２と、主樹脂上枠１１２よりも短く形成され、主樹脂上枠１１２の内周面に取付けられる副樹脂上枠１１３とから構成されている。
【００１３】
図３に示すように、主樹脂上枠１１２は、見付け方向（上下方向）に複数の中空部を有する中空本体部１１２ａと、中空本体部１１２ａの上面に形成され金属上枠１１１の被係合部１１１ｄに係合する係合部１１２ｂと、中空本体部１１２ａの室内側下面より下方に垂下して壁部を構成する中空の垂下壁１１２ｃとから構成されており、中空本体部１１２ａの室外側下端位置には気密材ｓ３を保持する気密材保持部１１２ｄが設けられ、気密材ｓ３が障子２の上框２１に当接することにより室内側の気密ラインを形成するとともに、気密材保持部１１２ｄと垂下壁１１２ｃとにより、副樹脂上枠１１３を係合保持する副樹脂上枠係合部１１２ｅが形成されている。
【００１４】
副樹脂上枠１１３は、見付け方向（上下方向）に複数の中空部を有する断面略矩形形状の中空本体部１１３ａと、中空本体部１１３ａの上面に形成され副樹脂上枠係合部１１２ｅに係合する係合部１１３ｂとから構成され、中空本体部１１３ａの内周（下面）壁は室内側に延設されており、主樹脂上枠１１２の垂下壁１１２ｃに当接して中空部を形成している。
そして、主樹脂上枠１１２に副樹脂上枠１１３が係合固定されることにより、副樹脂上枠１１３の室外側面が主樹脂上枠１１２の室外側面と略面一に連続されるとともに、副樹脂上枠１１３の内周面（下面）が主樹脂上枠１１２の垂下壁１１２ｃの下面と略同一となるので、全体として、室外側面の見付け方向中間位置に気密材ｓ３が配置され、見付け方向および見込み方向に複数の中空部が積層されてなる樹脂上枠として構成されることとなる。
【００１５】
下枠１２を構成する金属下枠１２１は、障子２の下框２２の外周面と対向する下枠本体部１２１ａと、下枠本体部１２１ａの室内側に連設される中空の立上り壁１２１ｂとにより形成されている。下枠本体部１２１ａの室外側面には、障子２の下框２２に当接する気密材ｓ１が設けられているとともに、立上り壁１２１ｂの室外側面には、障子２の下框２２の室内面と当接して室内側の気密ラインを形成する気密材ｓ３が設けられ、室内外の気密ラインにより気密空間が形成されている。
また、立上り壁１２１ｂ上面の室内側端には、樹脂下枠を取り付けるための被係合部１２１ｃが形成されている。
【００１６】
下枠１２を構成する樹脂下枠は、金属下枠１２１の立上り壁１２１ｂの上面の被係合部１２１ｃに係合して立設される主樹脂下枠１２２と、主樹脂下枠１２２の室外面に取り付けられる副樹脂下枠１２３とから構成されている。
主樹脂下枠１２２は、金属下枠１２１の立上り壁１２１ｂの上面に取付けられることにより下枠１２の室内側の壁部を構成する室内側壁１２２ａを有し、室内側壁１２２ａの室内側面には、障子２の開閉用のハンドル６２が配置されている。
そして、室内側壁１２２ａの室外側面には、副樹脂下枠１２３を取り付けるための取付部１２２ｂが形成されている。
【００１７】
副樹脂下枠１２３は、主樹脂下枠１２２の取付部１２２ｂに取り付けられる取付本体部１２３ａと、取付本体部１２３ａの上端から室外側に延設される中空の延設部１２３ｂとから構成されており、延設部１２３ｂの先端には障子２の下框２２に近接して気密する突部１２３ｃが設けられている。
主樹脂下枠１２２の室内側壁１２２ａのハンドル６２が取り付けられる部位の室外側には、ハンドル取付金具１２４が配置され金属下枠１２１の立上り壁１２１ｂの上面に固定されており、副樹脂下枠１２３及び主樹脂下枠１２２の室内側壁１２２ａを貫いてハンドル６２が固定されている。
【００１８】
左縦枠１３及び右縦枠１４は、ほぼ同一の形状をなしており、室内側内周面に樹脂枠係止部１３１ａ、１４１ａを形成してなる金属左縦枠１３１及び金属右縦枠１４１と、樹脂枠係止部１３１ａ，１４１ａに係止される樹脂左縦枠１３２、樹脂右縦枠１４２とから構成されている。
【００１９】
樹脂左縦枠１３２及び樹脂右縦枠１４２は、見付け方向外周側を構成する主中空部１３２ａ，１４２ａと、主中空部１３２ａ，１４２ａの内周面側に隣接し見込み方向に複数の中空部が積層されてなる副中空部１３２ｂ，１４２ｂとから構成されており、主中空部１３２ａ，１４２ａ及び副中空部１３２ｂ，１４２ｂの見込み方向寸法は、副樹脂上枠の見込み寸法と略同一に形成されている。
そして、樹脂左縦枠１３２及び樹脂右縦枠１４２の室外側面の見付け方向中間、例えば主中空部１３２ａ，１４２ａと副中空部１３２ｂ，１４２ｂとの界近傍には、左、右縦框２３，２４の樹脂左縦框２３２，樹脂右縦框２４２の室内側面に当接する気密材ｓ４が配置されている。
主中空部１３２ａ，１４２ａの外周面には、樹脂枠係止部１３１ａ，１４１ａに係止する係止部１３２ｃ，１４２ｃが形成され、室内面にはアングル部１３２ｄ，１４２ｄが形成されており、樹脂左縦枠１３２及び樹脂右縦枠１４２は、主中空部１３２ａ，１４２ａの係止部１３２ｃ，１４２ｃを、金属左縦枠１３１及び金属右縦枠１４１の樹脂枠係止部１３１ａ，１４１ａに係止するとともに、アングル部１３２ｄ，１４２ｄを建物開口部の木製等の額部にビス等の固定手段により固定することで、安定して固定することができる。
【００２０】
以上の上枠１１、下枠１２及び左右の縦枠１３，１４を四周に組んで枠組みするにあたって、本実施形態においては、各枠の連結構造のうち、樹脂横枠である樹脂上枠もしくは樹脂下枠と樹脂縦枠との連結構造に特徴がみられる。
まず、樹脂横枠と樹脂縦枠との連結構造について、樹脂上枠と樹脂右縦枠との連結構造を参考にして説明する。
樹脂上枠と樹脂右縦枠とを連結するに際しては、図４、５に示すように、樹脂上枠の主樹脂上枠１１２の内周面から垂下して室内側の壁部を構成する垂下壁１１２ｃの室外側において、樹脂右縦枠１４２の主中空部１４２ａ及び副中空部１４２ｂの上端を主樹脂上枠１１２の内周面に当接して、主樹脂上枠１１２と樹脂右縦枠１４２とが連結されている。
そして、主樹脂上枠１１２の垂下壁１１２ｃの室外側において、主樹脂上枠１１２よりも短い副樹脂上枠１１３の両端面を樹脂右縦枠１４２の内周面に当接して配置して、樹脂上枠と樹脂右縦枠とが連結されている。
【００２１】
以上のように、主樹脂上枠１１２の垂下壁１１２ｃの室外側において、横枠の一部である主樹脂上枠１１２の内周面に左右の樹脂縦枠１３２，１４２の上端を当接させるとともに、副樹脂上枠１１３の両側端を左右の樹脂縦枠１３２，１４２の内周面に当接させて連結することにより、主樹脂上枠１１２と左右の樹脂縦枠１３２，１４２との当接部分及び樹脂縦枠１３２，１４２と副樹脂上枠１１３との当接部分の室内側を主樹脂上枠１１２に設けた垂下壁（壁部）１１２ｃにより覆うことができる。
また、左右の樹脂縦枠１３２，１４２の内周面間に配置される副樹脂上枠１１３の見込み寸法が、左右の樹脂縦枠１３２，１４２の副中空部１３２ｂ、１４２ｂの見込み寸法と略同一であるので、主樹脂上枠１１２の内周面で連結された副樹脂上枠１１３と左右の樹脂縦枠１３２，１４２は室内側面及び室外側面で面一となり、ともに、主樹脂上枠１１２の垂下壁１１２ｃの室外側に配置されることとなる。
【００２２】
次に、樹脂下枠と樹脂縦枠との連結構造について説明する。樹脂下枠と樹脂縦枠とを連結するに際しては、下枠１２の室内側の壁部を構成する主樹脂下枠１２２の室内側壁１２２ａの室外側において、左右の樹脂縦枠１３２，１４２の主中空部１３２ａ，１４２ａ及び副中空部１３２ｂ，１４２ｂの下端を、横枠である金属下枠１２１の立上り壁１２１ｂの内周面（上面）に当接するとともに、主樹脂下枠１２２の取付部１２２ｂに取付けられる副樹脂下枠１２３の両側端が左右の樹脂縦枠１３２，１４２の内周面に当接して連結されている。
上枠部分と同様に、主樹脂下枠１１３の室内側壁（壁部）１２２ａの室外側において、下枠１２の内周面に左右の樹脂縦枠１３２，１４２の下端を当接させるとともに、副樹脂下枠１２３の両側端を左右の樹脂縦枠１３２，１４２の内周面に当接させて連結することにより、下枠１１２と樹脂縦枠１３２，１４２との当接部分及び樹脂縦枠１３２，１４２と副樹脂下枠１２３との当接部分の室内側を主樹脂下枠１１２の室内側壁（壁部）１２２ａにより覆うことができる。
なお、樹脂上枠１１２，樹脂下枠１２２，樹脂左縦枠１３２及び樹脂右縦枠１４２の室内側には、必要に応じて網戸７を配置することができる。
【００２３】
（障子の構成）
障子２を構成する上框２１、下框２２及び左、右縦框２３，２４は、アルミ等の金属材料からなる金属框と、金属框の室内側面を覆い樹脂材料からなる樹脂框とから構成されている。
上框２１、下框２２及び左、右縦框２３，２４を構成する金属上框２１１，金属下框２２１，金属左縦框２３１及び金属右縦框２４１は、ガラス等パネルの外周位置に配置される中空部２１１ａ，２２１ａ，２３１ａ，２４１ａと、その室外側壁及びガラス間口を構成し外周側に延設される室外壁部２１１ｂ，２２１ｂ，２３１ｂ，２４１ｂとからなる。
そして、障子２の閉鎖状態においては、上枠１１の金属上枠１１１に設けた気密材ｓ１及び下枠１２の金属下枠１２１に設けた気密材ｓ１が上框２１の室外壁部２１１ｂ及び下框２２の室外壁部２２１ｂの室内側に当接し、左縦框２３の室外壁部２３１ｂ及び右縦框２４の室外壁部２４１ｂの室内側面に設けた気密材ｓ２，ｓ２が左、右縦枠１３，１４に当接することで、室内側気密ラインを形成している。
【００２４】
一方、図１に示すように、上框２１及び下框２２を構成する樹脂上框２１２及び樹脂下框２２２は、金属上框２１１，金属下框２２１中空部２１１ａ，２２１ａの室内側面を覆う中空部２１２ａ，２２２ａと、中空部２１２ａ，２２２ａの室内側内周より内周方向に延設されてガラス間口を構成するガラス間口部２１２ｂ，２２２ｂとから構成されている。
【００２５】
そして、障子２の閉鎖時においては、樹脂上枠の見付け方向中間位置に配置される気密材ｓ３が障子２の樹脂上框２１２の室内側面に当接して室内側の気密ラインを形成するとともに、気密材ｓ３の下方室内側に副樹脂上枠１１３が配置されるので、室内側の気密ラインの内周室内側には見付け方向に複数の中空部が積層された断熱構造（副樹脂上枠）が配置されることとなり、上枠と上框との間の空間に接触している気密材ｓ３が直接室内空間に露出されず、副樹脂上枠の複数の中空部が気密材及び気密材周辺からの熱の伝達の流線ｎに交わることで、中空部内での空気の対流による熱の伝達を分断して、室内への熱の伝達を抑制し、断熱性を向上させることができる。
さらに、障子２の樹脂上框２１２の室内側面と副樹脂上枠１１３の室外側面の間隔が１０ｍｍ以下に形成されているので、気密材ｓ３の内周部に半密閉空気層が形成され、気密材ｓ３近傍からの熱の伝達をさらに妨げることができる。
【００２６】
また、図２に示すように、左、右縦框２３，２４を構成する樹脂左縦框２３２及び樹脂右縦框２４２は、金属左縦框２３１及び金属右縦框２４１の中空部２３１ａ，２４１ａの室内側面を覆う中空部２３２ａ，２４２ａと、中空部２３２ａ，２４２ａの室内側内周より内周方向に延設されてガラス間口を構成するガラス間口部２３２ｂ，２４２ｂとから構成されている。
【００２７】
そして、障子２の閉鎖状態においては、左右の樹脂縦枠１３２，１４２の見付け方向の中間位置に配置された気密材ｓ４が障子２の左右の樹脂縦框２３２，２４２の室内側面に当接することで、室内側の気密ラインを形成すると共に、室内側の気密ラインの内周室内側には見込み方向に複数の中空部が積層された副中空部１３２ｂ、１４２ｂが配置されているので、縦枠１３，１４と縦框２３，２４との間の空間に接触している気密材ｓ４が直接室内空間に露出されず、断熱性を向上させることができる。
また、樹脂縦框２３２，２４２の室内側と樹脂縦枠１３２，１４２の副中空部１３２ｂ、１４２ｂの間隔が１０ｍｍ以下に形成されているので、気密材ｓ４の内周部に半密閉空気層が形成され、気密材ｓ４近傍からの熱の伝達をさらに妨げることができる。
【００２８】
以上のように、本実施形態の縦すべり出し窓においては、上枠もしくは下枠の樹脂枠を、室内側に壁部を構成する主樹脂上枠もしくは主樹脂下枠と、副樹脂上枠もしくは副樹脂下枠との２部材により形成し、主樹脂上枠もしくは主樹脂下枠の室内側の壁部の室外側において樹脂縦枠の端部を上枠もしくは下枠の内周面に当接して連結すると共に、副樹脂上枠もしくは副樹脂下枠の両端部を左右の樹脂縦枠の内周面に当接して連結しているので、上枠もしくは下枠と縦枠との当接面の室内側に壁部が存在することとなるので、樹脂枠同士の突き合わせ部が直接室内に露出せず、また、樹脂枠の突き合わせ部に経時変化により隙間が生じても空気の流入を抑制することができ、樹脂枠の突き合わせ部における断熱性を確保して断熱性能を向上させることができる。
【００２９】
また、特に上枠と縦枠との連結においては、樹脂上枠を２部材により形成して、樹脂縦枠を主樹脂上枠に突き当てて組み立てることにより、樹脂縦枠及び樹脂上枠の室内側に配置する気密材を内周端同士に設けなくても連続させることができる。そのため、副樹脂上枠と樹脂縦枠と障子の框の室内側面との間には、副樹脂上枠と樹脂縦枠の内周端から気密材に向かって伸びる間隔１０ｍｍ以下の半密閉空気層を形成することができ、断熱性能を向上させることができる。
さらに、樹脂縦枠の内周面間に配置される副樹脂上枠の見込み寸法が、左右の樹脂縦枠の副中空部の見込み寸法と略同一であるので、枠組み後には、副樹脂上枠と樹脂縦枠との室外側面が略面一となり、障子２の少なくとも３辺に亘って半密閉空気層と複数の中空部とによる断熱構造を形成することができるので、より一層断熱性が向上される。
【００３０】
なお、本実施形態においては、縦すべり出し窓の上枠を用いて、本発明の断熱サッシの断熱構造を説明したが、本実施形態に採用されている断熱構造は、ＦＩＸ窓を含むどのような形態の断熱サッシにも採用することができ、また、その枠も上枠に限定されるものではない。
また、本発明における金属枠とは、全てが金属により形成されるものに限定されるものではなく、金属枠同士が樹脂等のブリッヂにより連結される複合枠をも含むものである。
【符号の説明】
【００３１】
１        ：窓枠
１１      ：上枠（横枠）
１１１    ：金属上枠
１１１ａ  ：上枠本体部
１１１ｂ  ：室内側部
１１１ｃ  ：中間片
１１１ｄ  ：被係合部
１１２    ：主樹脂上枠（主樹脂横枠）
１１２ａ  ：中空本体部
１１２ｂ  ：係合部
１１２ｃ  ：垂下壁（壁部）
１１２ｄ  ：気密材保持部
１１２ｅ  ：副樹脂上枠係合部
１１３    ：副樹脂上枠（副樹脂横枠）
１１３ａ  ：中空本体部
１１３ｂ  ：係合部
１２      ：下枠（横枠）
１２１    ：金属下枠
１２１ａ  ：下枠本体部
１２１ｂ  ：壁
１２１ｃ  ：被係合部
１２２    ：主樹脂下枠（主樹脂横枠）
１２２ａ  ：室内側壁（壁部）
１２２ｂ  ：取付部
１２３    ：副樹脂下枠（副樹脂横枠）
１２３ａ  ：取付本体部
１２３ｂ  ：延設部
１２３ｃ  ：突部
１２４    ：ハンドル取付金具
１３      ：左縦枠
１３１    ：金属左縦枠
１３１ａ  ：樹脂枠係止部
１３２    ：樹脂左縦枠
１３２ａ  ：主中空部
１３２ｂ  ：副中空部
１３２ｃ  ：係止部
１３２ｄ  ：アングル部
１４      ：右縦枠
１４１    ：金属右縦枠
１４１ａ  ：樹脂枠係止部
１４２    ：樹脂右縦枠
１４２ａ  ：主中空部
１４２ｂ  ：副中空部
１４２ｃ  ：係止部
１４２ｄ  ：アングル部
２        ：障子
２１      ：上框
２１１    ：金属上框
２１１ａ  ：中空部
２１１ｂ  ：室外壁部
２１２    ：樹脂上框
２１２ａ  ：中空部
２１２ｂ  ：ガラス間口部
２２      ：下框
２２１    ：金属下框
２２１ａ  ：中空部
２２１ｂ  ：室外壁部
２２２    ：樹脂下框
２２２ａ  ：中空部
２２２ｂ  ：ガラス間口部
２３      ：左縦框
２３１    ：金属左縦框
２３１ａ  ：中空部
２３１ｂ  ：室外壁部
２３２    ：樹脂左縦框
２３２ａ  ：中空部
２３２ｂ  ：ガラス間口部
２４      ：右縦框
２４１    ：金属右縦框
２４１ａ  ：中空部
２４１ｂ  ：室外壁部
２４２    ：樹脂右縦框
２４２ａ  ：中空部
２４２ｂ  ：ガラス間口部
６１      ：リンク機構
６２      ：ハンドル
６３      ：反り防止手段
６４      ：ロック手段
７        ：網戸
ｓ１      ：気密材
ｓ２      ：気密材
ｓ３      ：気密材
ｓ４      ：気密材
【図１】
0006460888.tif 000002
【図２】
0006460888.tif 000003
【図３】
0006460888.tif 000004
【図４】
0006460888.tif 000005
【図５】
0006460888.tif 000006